【事件の表示】
　　特許第２５６７２７７号「液体洗浄剤組成物」の請求項１に係る特許に対する特許異議の申立てについて、次のとおり決定する。
【結　論】
　訂正を認める。
　特許第２５６７２７７号の請求項１に係る特許を維持する。
【理　由】
 Ｉ　手続きの経緯
　本件特許２５６７２７７号発明は、昭和６３年１０月２７日に特許出願され、平成８年１０月３日に設定登録がなされ、その後、花王株式会社及び星野貴光より特許異議の申立てがなされ、取消理由通知がなされ、平成９年１１月１３日に特許権者から特許異議意見書が提出され、更に２回目の取消理由通知がなされ、その意見書の提出期間内である平成１２年３月６日に訂正請求がなされたものである。
　　　
II　訂正の適否についての判断
１　訂正明細書の請求項１に係る発明
　訂正明細書の請求項１に係る発明は、その特許請求の範囲の請求項１に記載された次のとおりのものである 。
　「【請求項１】脂肪酸ジエタノールアミドを構成する脂肪酸として、
・炭素数１２未満の飽和脂肪酸：１５％以下（但し、１２％未満を除く）
・炭素数１２の飽和脂肪酸：４５〜５５％
・炭素数１４の飽和脂肪酸：１２〜１７％
・炭素数１８の不飽和脂肪酸（不飽和数：１）：１２〜１７％
から成る脂肪酸ジエタノールアミドを含有することを特徴とする液体洗浄剤組成物。」
　　
２　訂正の目的の適否、新規事項の有無及び拡張・変更の存否
　本件訂正請求は、特許２５６７２７７号発明の明細書を訂正明細書のとおりに訂正することを求めるものであり、訂正の内容は次の（ａ）〜（ｅ）のとおりである。
（ａ）特許請求の範囲の請求項１記載の「炭素数１２未満の飽和脂肪酸：１５％以下」を「炭素数１２未満の飽和脂肪酸：１５％以下（但し、１２％未満を除く）」と訂正する。
（ｂ）明細書４頁２行の「炭素数１２未満の飽和脂肪酸：１５％以下」を「炭素数１２未満の飽和脂肪酸：１５％以下（但し、１２％未満を除く）」と訂正する。
（ｃ）明細書６頁３行の「実施例１〜３、比較例１〜１２」を「実施例１、比較例１〜１２、参考例１，２」と訂正する。
（ｄ）明細書８頁、第１表中「実施例２，３」を「参考例１，２」と訂正する。
（ｅ）明細書９頁１行の「実施例１〜３」を「実施例１」に、明細書９頁４行の「実施例４」を「参考例３」に、明細書９頁６行の「実施例３」を「参考例２」に、明細書１１頁下から４行の「実施例４」を「参考例３」に、明細書１２頁７行の「実施例５」を「実施例２」に、明細書１４頁下から６行の「実施例５」を「実施例２」にそれぞれ訂正する。
　そこで、これらの訂正事項について検討すると、（a）の訂正は「炭素数１２未満の飽和脂肪酸」の含有割合である「１５％以下」の範囲から「１２％未満」を除くものであるので、特許請求の範囲の減縮を目的とするものと認められる。（ｂ）〜（ｅ）の訂正は特許請求の範囲の減縮に係る上記（ａ）の訂正によって、記載が不明瞭となった明細書の発明の詳細な説明中の記載を訂正するものであるが、明瞭でない記載の釈明を目的とするものと認められる。
　そして、上記訂正に係る（ａ）〜（ｅ）の点は、願書に添付した明細書に記載の事項の範囲内のものであることは明らかであり、また上記各訂正は実質上特許請求の範囲を拡張し又は変更するものでない。
　　　
３　独立特許要件の判断
　そこで、訂正後の特許請求の範囲に記載された事項により特定された発明が特許出願の際独立して特許を受けることができるか否かについて以下検討する。
（１）引用刊行物の記載事項
　訂正前の本件特許明細書の請求項１に係る発明に対して、当審が通知した２回目の取消理由で引用した刊行物１（特開昭６２−２５７９８８号公報）（申立人花王株式会社提出の甲第３号証）には、「１．　１種又は２種以上の界面活性剤および・・・を含有する洗浄剤組成物において、トリグリセリド相との界面張力が０．５ｍＮ・ｍ−１以下であることを特徴とする洗浄剤組成物。」（特許請求の範囲１）が記載され、「［実施例］次に実施例を挙げ、本発明を更に詳細に説明する。・・・実施例１　表１に示すイオン性界面活性剤、非イオン性界面活性剤、無機塩混合系の組成物を調製し、各組成物の洗浄力、・・・を測定した。」（３頁右下欄〜４頁左上欄）と記載されている。実施例１の結果を示す表１（５頁）には「本発明品１〜４」が示され、それぞれ「パーム核脂肪酸ジエタノールアミド」が２４％、１９％、７％、１８％配合されたものであることが示されている。又これらの「本発明品」が界面活性剤等の成分及び水を含有することも示されている。
　刊行物２（特開昭５９−８０６４３号公報）（申立人花王株式会社提出の甲第４号証。星野貴光提出の甲第４号証。）には、「１　高級脂肪酸又はそのエステルとジエタノールアミンとを反応させて高級脂肪酸ジエタノールアミドを製造するに当り、・・・トリエタノールアミンの共存下で、ジエタノールアミンを反応させることを特徴とする曇点の低いアルカノールアミドの製造方法。」（特許請求の範囲１）が記載され、「高級脂肪酸アルカノールアミドは、洗浄剤や香粧品の成分として広く用いられている」（１頁右下欄）、「本発明の方法に用いられる高級脂肪酸としては・・・工業的には、例えば・・・パーム核油や牛脂などから得られる混合脂肪酸類を用いるのが有利である。また、高級脂肪酸アルキルエステルとしては、上記のような高級脂肪酸類の低級アルキルエステル・・・が用いられる。」（２頁左上欄〜右上欄）、「このように、本発明方法によると・・・液体洗浄剤や香粧品の添加成分として好適なアルカノールアミドを得ることができる。」（２頁右下欄）、「実施例１〜３　パーム核脂肪酸メチルエステル（けん化価：246.6）445ｇと５重量％のトリエタノールアミンを含有するジエタノールアミン混合液236.1ｇ・・・を反応フラスコに仕込み、・・・反応させ・・・反応系から除去した。次いで反応物を・・・熟成した。このようにして、淡黄色透明で粘ちょうな液体のパーム核脂肪酸ジエタノールアミドを得た。」（２頁右下欄〜３頁左上欄）と記載されている。
　刊行物３（特開昭６３−９６１６１号公報）（申立人花王株式会社提出の甲第５号証）には、「１．脂肪酸エステルとアルカノールアミンとを触媒として水酸化アルカリの存在下で反応させて脂肪酸アルカノールアミドを製造する方法において、水酸化アルカリを・・・を添加するようにしたことを特徴とする脂肪酸アルカノールアミドの製造方法。」（特許請求の範囲１）、「７．アルカノールアミンがジエタノールアミン又は・・・である特許請求の範囲第１項乃至第６項いずれか記載の製造方法。」（同７）が記載され、「脂肪酸ジエタノールアミドは、従来よりシャンプー、台所洗剤などの界面活性剤成分として広く用いられている」（２頁左上欄）、「一般的には、脂肪酸エステルとして炭素数８〜２２の脂肪酸、例えば・・・の高級脂肪酸と・・・低級アルコールとのエステル及びこれらの混合物が使用される。この場合、脂肪酸はヤシ油、パール核油、パーム油・・・であってもよい。」（３頁左下欄）、「従って、本発明により製造された脂肪酸アルカノールアミドはシャンプー、台所洗剤などの界面活性剤成分として好適に用いられる。」（４頁右下欄）と記載されている。
　刊行物４（特開昭５９−７８２９７号公報）（申立人花王株式会社提出の甲第６号証）には、「主成分活性剤のすべてが非イオン活性剤から成る、台所用等の液体洗浄剤組成物に関する」発明が記載（１頁右下欄）され、該発明の液体洗浄剤組成物は特許請求の範囲第１項に記載の化学式で特定される「アマイドエトキシレート」、「アルキロールアマイド」、「３級アミンオキサイド」の各成分（以下それぞれ「ａ成分」、「ｂ成分」、「ｃ成分」という）を必須成分として含むこと、「ｂ成分」はＲ２ＣＯ−Ｎ（−ＣＨ２ＣＨ２ＯＨ）２でであり、「ａ〜ｃ成分」がパーム核油を原料として得られること（特許請求の範囲第２項）、「ａ〜ｃ成分」の化学式中Ｒ１、Ｒ２、Ｒ３で示されるアルキル基としてはヤシ油又はパーム核油に由来する脂肪酸から誘導されるアルキル基が好ましいこと（２頁左下欄）がそれぞれ記載されている。
　また、２回目の取消理由で引用した「刊行物ａ」（日本油化学協会編「油脂化学便覧」昭和３８年４月２０日　丸善株式会社発行　２６〜２８頁）（申立人星野貴光が提出した参考資料１。以下「刊行物５」という。）には、パーム核油の脂肪酸組成の値が示され、「飽和酸Ｃ１２：　４６．９〜５２．０％」、「同Ｃ１４：　１４.１〜１７．５」、「同その他の酸Ｃ８：　２．４〜４．３、同その他の酸Ｃ１０：　３．０〜７.０」、「不飽和酸Ｃ１８　Ｆ１：　１０．５〜１８．５」と記載されている。
　同じく取消理由で引用した「刊行物ｂ」（「Ｐａｌｍ　Ｏｉｌ　Ｄｅｖｅｌｏｐｍｅｎｔｓ」　ｐｐｌ−３、１９８４年６月発行）（申立人星野貴光が提出の甲第２号証。以下「刊行物６」という。）には、マレーシア産パーム核油の脂肪酸組成の値が示され、脂肪酸「Ｃ６」：　０．１〜０．５、同「Ｃ８」：　３．４〜５．９、同「Ｃ１０」：　３．３〜４．４、同「Ｃ１２」：　４６．３〜５１．１、同「Ｃ１４」：　１４．３〜１６．８、同「Ｃ１８：１」：　１３．２〜１６．４、と記載されている。
　同じく取消理由で引用した「改訂三版　油脂化学便覧」平成２年２月２８日丸善株式会社発行　１０７頁）」（申立人花王株式会社提出の甲第１号証。星野貴光提出の甲第３号証。以下「刊行物７」という。）には、「低・中鎖脂肪酸含有植物油脂の脂肪酸組成［％］」と題する表（表２・６）が示され、パーム核油の脂肪酸組成については、脂肪酸「６：０」　０．１％、同「８：０」　３．６％、同「１０：０」　３．５％、同「１２：０」　４７．３％、同「１４：０」　１６．４％、同「１８：１」　１６．８％、と記載されている。
　同じく取消理由で引用した「ＪＡＯＣＳ　第６２巻　第２号　昭和６０年２月発行　３５５頁」（申立人花王株式会社が提出した甲第２号証。以下「刊行物８」という。）には、「ヤシ油、パーム核油及びパーム油の鎖長組成（％）」と題する表（表−１）に脂肪酸組成が記載され、パーム核油中の脂肪酸組成について「Ｃ８：３．５％、Ｃ１０：３．５％、Ｃ１２：４８．５％、Ｃ１４：１６．５％、Ｃ１６：８．５％、Ｃ１８：２．５％、Ｃ１８＝：１４．５％」と記載されている。
　　
（３）刊行物１〜６，８以外の公知刊行物の記載事項
　上記刊行物の他に、異議申立人星野貴光は、特開昭５３−４３７０８号公報（甲第１号証）（以下「刊行物９」という）を提出している。
　刊行物９には、（ａ）炭素数１０〜１４の飽和脂肪酸から誘導される脂肪酸ジエタノールアミド、（ｂ）一般式(I)で表わされる両性界面活性剤、（ｃ）一般式(II)で表わされるカチオン性界面活性剤、（ｄ）一般式(III)で表わされるカチオン性界面活性剤及びアルキルエトキシレートを特定の割合で含む液体軽質洗剤組成物の発明が記載（特許請求の範囲１）され、「（ａ）の脂肪酸ジエタノールアミドを作る脂肪酸は炭素数１０〜１４のものであって天然油脂より得られるもの、合成により得られるものを問わないが、炭素数がこの範囲の脂肪酸を多量に含有しているヤシ脂肪酸を用いるのが好ましい。さらにはパーム核油などから得られる脂肪酸を用いることもできる。」（３頁右下欄）と記載されている。実施例には「（ａ）の脂肪酸ジエタノールアミド」としてヤシ脂肪酸ジエタノールアミドを用いた例（５頁「表１」中（６）、（１３）、６頁左上欄等）が示されている。
　　
（４）刊行物１〜４記載の発明との対比、判断
　本件の請求項１に係る発明は「脂肪酸ジエタノールアミド」を構成する脂肪酸の組成を特に限定したものであるのに対し、刊行物１〜４では、液体洗浄剤成分として用いる脂肪酸ジエタノールアミドが記載されているが、それを構成する脂肪酸についてどういう組成かは具体的に記載されていない。
　即ち、刊行物１には、液体洗浄剤組成物がパーム核脂肪酸ジエタノールアミドを含有することが、又刊行物２には、製造されたパーム核油脂肪酸ジエタノールアミドが液体洗浄剤の成分として用いられることが記載されているが、パーム核脂肪酸ジエタノールアミド又はパーム核油脂肪酸ジエタノールアミドを構成する脂肪酸の組成については何等記載されていない。
　刊行物３には、脂肪酸アルカノールアミドの製造原料としてパーム核油とジエタノールアミンが例示されており、製造される脂肪酸アルカノールアミドは液体洗浄剤に添加されると記載されているので、パーム核油脂肪酸とジエタノールアミンを反応させて得られる液体洗浄剤用の脂肪酸ジエタノールアミドが開示されていると言えるが、該脂肪酸ジエタノールアミドの構成脂肪酸の組成については何等記載されていない。
　刊行物４には、Ｒ２ＣＯ−Ｎ（−ＣＨ２ＣＨ２ＯＨ）２で示される「ｂ成分」（アルキロールアマイド）等を含む液体洗浄剤組成物において、「ｂ成分」等がパーム核油を原料にして得られること、「ｂ成分」の化学式においてアルキル基（Ｒ２）としてパーム核油に由来する脂肪酸から誘導されるアルキル基が好ましいこと（２頁左下欄）が記載されていることから、パーム核油脂肪酸を原料にして得られる脂肪酸ジエタノールアミドを含有する液体洗浄剤が開示されていると認められるが、得られる脂肪酸ジエタノールアミドの構成脂肪酸組成については記載されていない。
　以上述べたように、刊行物１〜４には「パーム核（油）脂肪酸ジエタノールアミド」又はパーム核油脂肪酸を原料にして得られる脂肪酸ジエタノールアミド（以下これらを「パーム核油脂肪酸ジエタノールアミド」という。）を構成する脂肪酸の組成については具体的に記載がない。しかし、これらの刊行物には、洗浄剤用として用いる「パーム核油脂肪酸ジエタノールアミド」の構成脂肪酸が特別の組成のものであるという記載又は「パーム核油脂肪酸ジエタノールアミド」が特定組成のパーム核油脂肪酸を用いて製造したものであるという記載はないのであるから、それらに記載される「パーム核油脂肪酸ジエタノールアミド」は普通に入手し得る「パーム核油」由来の脂肪酸とジエタノールアミンとを周知の化学反応により反応させて得られるものであると解さざるを得ない。
　ところで、パーム核油の脂肪酸組成は原料の違いにより分析値に多少の差は生じるが脂肪酸別の含有率の巾は刊行物５，６に記載されているように既に公知である。刊行物５によれば、炭素数１２未満（飽和）、炭素数１２（飽和）、炭素数１４（飽和）及び炭素数１８（不飽和）の各構成脂肪酸の割合が、それぞれ５．４〜１１．３％、４６．９〜５２．０％、１４．１〜１７．５％、１０．５〜１８．５％であり、また刊行物６によれば、これらの各構成脂肪酸の割合が、それぞれ６．８〜１０．８％、４６．３〜５１．１％、１４．３〜１６．８％、１３．２〜１６．４％、である。脂肪酸の含有率が脂肪酸炭素数別に含有率範囲で示されているが、通常入手し得たパーム核油原料の分析値をまとめたものと解される。脂肪酸の含有率に関しては、刊行物５，６の他に、刊行物７，８にも分析値が示されており、パーム核油を構成する炭素数１２未満（飽和）、炭素数１２（飽和）、炭素数１４（飽和）及び炭素数１８（不飽和）の各脂肪酸の含有率が「刊行物５」に記載のそれらの範囲に入るものであることを示している。
　また、脂肪酸ジエタノールアミドの合成に関しても、脂肪酸とジエタノールアミンを反応させ合成することは周知のことであり、このような反応で混合脂肪酸を用いると、生成する「脂肪酸ジエタノールアミド」を構成する脂肪酸組成が原料脂肪酸の組成と同様なものになるということもこの分野では技術常識である。
　そうすると、刊行物１〜４には「パーム核油脂肪酸ジエタノールアミド」について構成脂肪酸の組成及び脂肪酸含有率は記載されていないが、それを構成する脂肪酸は「パーム核油」由来の通常入手し得る脂肪酸の組成及び含有率と同様なものであるとすることができる。
　結局、刊行物５，６に記載のパーム核油の脂肪酸組成及び含有率は通常入手し得たパーム核油原料の分析値を示していると解されるから、刊行物１〜４に記載の「パーム核油脂肪酸ジエタノールアミド」の構成脂肪酸もこれら刊行物に記載されている上記のような組成及び含有率のものであると認める。
　そこで、請求項１に係る発明（前者）と刊行物１〜４に記載のもの（後者）とを対比すると、「パーム核油脂肪酸ジエタノールアミド」の構成脂肪酸の中で「炭素数１２、同１４の飽和脂肪酸」及び「炭素数１８の不飽和脂肪酸」の含有率においては両者は重複するところがあるが、「炭素数１２未満の飽和脂肪酸」の含有率については、前者が「１５％以下（１２％未満を除く）」であるのに対し、後者は１２％未満であるので脂肪酸組成において相違する。
　したがって、請求項１に係る発明は、刊行物１〜４に記載の発明と同一であるとすることはできない。
　次に、請求項１に係る発明が刊行物２に記載のものから容易になし得たか否かについて検討する。
　刊行物２にはパーム核脂肪酸ジエタノールアミドを液体洗浄剤に配合できることが記載されているが、脂肪酸ジエタノールアミドの構成脂肪酸が「パーム核脂肪酸」であることを示すだけであり、それの脂肪酸組成を通常パーム核脂肪酸として入手できるものとは違ったものにするということは全く記載されていないので、脂肪酸ジエタノールアミドの構成脂肪酸の組成を本件の請求項１に記載されたような特定の組成とした「脂肪酸ジエタノールアミド」を用いることが容易に想到し得たとは認められない。
　そして、請求項１に係る発明においては、脂肪酸組成が特定の脂肪酸ジエタノールアミドを用いることにより、増粘性、起泡性、洗浄力および低温安定性に優れた洗浄剤組成物が得られるという格別の効果が奏される。
　したがって、請求項１に係る発明は、刊行物２に記載の発明から当業者が容易に発明をすることができたものであるとは言えない。
　なお、異議申立人・花王株式会社提出の参考資料（INDUSTRIAL　OIL　AND　FAT　PRODUCTS、ｐ１３３〜１３８、INTERSCIENCE　PUBLISHERS、INC．、発行　1951）（特許権者提出の乙第２号証）の記載内容を検討したが上記判断は左右されない。
　　　
（５）刊行物９記載の発明との対比、判断
　刊行物９には、液体洗剤組成物が「炭素数１０〜１４の飽和脂肪酸から誘導される脂肪酸ジエタノールアミド」（以下「特定脂肪酸ジエタノールアミド」という。）を含有することが記載されているが、「炭素数１２未満の飽和脂肪酸」、「炭素数１２の飽和脂肪酸」及び「炭素数１４の飽和脂肪酸」のそれぞれの含有率について記載がなく、又「特定脂肪酸ジエタノールアミド」が構成脂肪酸として「炭素数１８の不飽和脂肪酸（不飽和数：１）」を１２〜１７％含有することも記載されていない。
　「特定脂肪酸ジエタノールアミド」として「ヤシ脂肪酸ジエタノールアミド」を用いた実施例が記載されているが、これを構成する脂肪酸がどういう組成のものであるのかは示されておらず、「特定脂肪酸ジエタノールアミド」を作る脂肪酸として「パーム核油」が用いられるという記載もあるが、原料とするパーム核油の脂肪酸組成については記載されていない。そして、刊行物９において「特定脂肪酸ジエタノールアミド」がパーム核油脂肪酸から誘導されるものである場合は、その脂肪酸組成が特別のものであるという記載はないから、「特定脂肪酸ジエタノールアミド」を構成する脂肪酸組成は刊行物５、６に記載のようなパーム核油の脂肪酸組成のものになると解さざるを得ない。
　そうすると、刊行物９に記載のものではパーム核油の脂肪酸中、「炭素数１２未満の飽和脂肪酸」の含有率は１２％未満である（理由は上記(4)参照）から、該飽和脂肪酸が「１５％以下（但し、１２％未満を除く）」のものとは異なる。上記した「ヤシ脂肪酸ジエタノールアミド」を用いる場合はその構成脂肪酸の組成が明らかでないので、本件の請求項１に記載の脂肪酸組成が開示されているとは認められない。
　以上のことから、請求項１の発明は、刊行物９に記載のものと同一であるとすることはできない。
　更に、刊行物９は、使用する脂肪酸ジエタノールアミドがヤシ脂肪酸、パーム核油脂肪酸から誘導されることを示しているだけであり、特定脂肪酸の含有率と液体洗浄剤の全体的な性能向上との関係については何等触れられていないのであるから、「特定脂肪酸ジエタノールアミド」を構成する脂肪酸組成を本件請求項１に記載されたような特定の組成とすることが容易に想到し得たとは認められない。そして、請求項１に係る発明においては、上記したような効果を奏するものである。
　したがって、請求項１の発明は刊行物９に記載の発明と同一ではなく、該発明から当業者が容易に発明をすることができたものであるとも認められない。
　　　
　以上のとおりであるから、本件の請求項１の発明は特許出願の際独立して特許を受けることができない発明とすることはできない。
　　　
４　訂正の適否についての結論
　上記訂正請求は、特許法第１２０条の４第２項及び同条第３項で準用する第１２６条第２〜４項の規定に適合するので、請求のとおり当該訂正を認める。
　　　　
III　特許異議申立についての判断
１　異議申立理由の概要
　異議申立人・花王株式会社は、甲第１号証（刊行物７）、甲第２号証（刊行物８）、甲第３号証（刊行物１）、甲第４号証（刊行物２）、甲第５号証（刊行物３）、甲第６号証（刊行物４）を提出し、訂正前の請求項１に係る発明は、甲第３〜６号証に記載された発明と同一であるから、特許法第２９条第１項第３号の規定により特許を受けることができないので、本件特許は取り消されるべきものである旨主張している。
　異議申立人・星野貴光は、甲第１号証（刊行物９）、甲第２号証（刊行物６）、甲第３号証（刊行物７）、甲第４号証（刊行物２）を提出し、訂正前の請求項１に係る発明は甲第１号証又は甲第４号証に記載された発明と同一であるか、又は甲第１、４号証の記載された発明に基づいて当業者が容易に発明をすることができたものであるから特許法第２９条第１項第３号の規定又は同法第２９条第２項の規定により特許を受けることができないので、本件特許は取り消されるべきものである旨主張している。
　　　
２　異議申立てについての判断
　訂正後の本件の請求項１に係る発明は、上記II３（４）、（５）に示したのと同じ理由により、刊行物１（花王株式会社提出の甲第３号証）、刊行物２（花王株式会社提出の甲第４号証、星野貴光提出の甲第４号証）、刊行物３（花王株式会社提出の甲第５号証）、刊行物４（花王株式会社提出の甲第６号証）及び刊行物９（星野貴光提出の甲第１号証）に記載の発明と同一であるとも、又刊行物２及び刊行物９に記載された発明から当業者が容易に発明をすることができたものであるとも認められない。
　　　　
IV　むすび
　以上のとおりであるから、異議申立の理由及び証拠及び取消理由通知の理由によっては本件の請求項１の発明の特許を取り消すことはできない。
　また、他に本件請求項１に係る特許を取り消すべき理由を発見しない。
　よって、結論のとおり決定する。
【異議決定日】
平成１２年３月３１日（２０００．３．３１）
【訂正の要旨】
訂正の要旨
（ａ）特許請求の範囲の請求項１記載の「炭素数１２未満の飽和脂肪酸：１５％以下」を「炭素数１２未満の飽和脂肪酸：１５％以下（但し、１２％未満を除く）」と訂正する。
（ｂ）明細書４頁２行の「炭素数１２未満の飽和脂肪酸：１５％以下」を「炭素数１２未満の飽和脂肪酸：１５％以下（但し、１２％未満を除く）」と訂正する。
（ｃ）明細書６頁３行の「実施例１〜３、比較例１〜１２」を「実施例１、比較例１〜１２、参考例１，２」と訂正する。
（ｄ）明細書８頁、第１表中「実施例２，３」を「参考例１，２」と訂正する。
（ｅ）明細書９頁１行の「実施例１〜３」を「実施例１」に、明細書９頁４行の「実施例４」を「参考例３」に、明細書９頁６行の「実施例３」を「参考例２」に、明細書１１頁下から４行の「実施例４」を「参考例３」に、明細書１２頁７行の「実施例５」を「実施例２」に、明細書１４頁下から６行の「実施例５」を「実施例２」にそれぞれ訂正する。
（５４）【発明の名称】
液体洗浄剤組成物
（５７）【特許請求の範囲】
　１．脂肪酸ジエタノールアミドを構成する脂肪酸として、
・炭素数１２未満の飽和脂肪酸：１５％以下
（但し、１２％未満を除く）
・炭素数１２の飽和脂肪酸　　：４５〜５５％
・炭素数１４の飽和脂肪酸　　：１２〜１７％
・炭素数１８の不飽和脂肪酸
（不飽和数：１）　　　　　　：１２〜１７％
から成る脂肪酸ジエタノールアミドを含有することを特徴とする液体洗浄剤組成物。
【発明の詳細な説明】
　産業上の利用分野
　本発明は洗浄剤組成物に関し、さらに詳しくは特定の脂肪酸組成を有する脂肪酸ジエタノールアミドを含むことを特徴とする増粘性、起泡性、洗浄力および低温安定性に優れた洗浄剤組成物に関するものである。
　従来の技術
　従来、台所洗剤やシャンプーなどの主成分として、アルキルサルフェート、α−オレフィンスルホネート、直鎖アルキルベンゼンスルホン酸などの界面活性剤が用いられており、さらにこれらの主成分を補助する目的で脂肪酸ジエタノールアミドが広く使用されている。
　脂肪酸ジエタノールアミドを構成する脂肪酸としては、天然のヤシ油から得られるヤシ油脂肪酸が最も多く用いられている。
　ヤシ油脂肪酸ジエタノールアミドは、起泡力、洗浄力および低温安定性は優れているが、かならずしも増粘性が充分ではなく、希望する粘度を有する製品を得るのが難しい場合がある。そこで、当業界ではヤシ油脂肪酸や牛脂脂肪酸を分別し、それぞれ炭素数１２、１４、１６、１８を主留分とする脂肪酸を得て、これらの分別脂肪酸からのジエタノールアミドを利用するなどしているが、前記の全ての条件を満たすことはできない。
　すなわち、炭素数１２の脂肪酸を主留とする脂肪酸ジエタノールアミドは、起泡力および洗浄力が優れるが低温安定性が充分でない。炭素数１４以上の脂肪酸を主留とする脂肪酸ジエタノールアミドは、増粘作用は強いが、起泡力、洗浄力、低温安定性が悪くなる。
　また、増粘させる手段として、無機塩や高分子化合物などの添加剤を加える方法も提案されているが、低温安定性が悪くなったり、起泡力が劣ったりする欠点がある。
　発明が解決しようとする課題および作用
　本発明の目的は、増粘性、起泡性、洗浄力および低温安定性に優れた脂肪酸ジエタノールアミドを含有する洗浄剤組成物を提供することである。
　課題を解決するための手段
　上記課題を解決するため、本発明者等が鋭意研究した結果、ある特定範囲の脂肪酸組成を有する脂肪酸ジエタノールアミドのみが上記課題解決に有効であることを見いだし、本発明を完成するに至った。
　すなわち、本発明は、脂肪酸ジエタノールアミドを構成する脂肪酸として、
・炭素数１２未満の飽和脂肪酸：１５％以下
（但し、１２％未満を除く）
・炭素数１２の飽和脂肪酸：４５〜５５％
．炭素数１４の飽和脂肪酸：１２〜１７％
・炭素数１８の不飽和脂肪酸
（不飽和数：１　　　　　：１２〜１７％
から成る脂肪酸ジエタノールアミドを含有することを特徴とする洗浄剤組成物に関するものである。
　本発明における脂肪酸ジエタノールアミドの脂肪酸組成は、上記割合の混合脂肪酸系のものを用いることが好ましく、この範囲を外れると以下のように不都合が生じる。
　すなわち、炭素数１２未満の脂肪酸が１５％を超えると増粘性が悪くなり、炭素数１２の飽和脂肪酸が４５％未満では増粘性が劣り、５５％を超えると低温安定性が低下してしまう。炭素数１４の飽和脂肪酸が１２％未満では増粘性が劣り、１７％を超えると低温安定性が悪くなり、炭素数１８の不飽和脂肪酸が１２％未満では増粘作用が劣り、１７％以上になると低温安定性が悪くなる。
　本発明に用いられる脂肪酸ジエタノールアミドを製造するには油や脂肪酸からの直接反応法、あるいは脂肪酸の低級アルコールエステル法等、どのような方法であってもよい。
　脂肪酸組成の調整は、単一の脂肪酸を本発明の範囲に混合してもよく、また天然の油を用いてこの範囲内にしてもよい。また、脂肪酸とジエタノールアミンの反応モル比は１：１または１：２のいずれでもよい。
　本発明の洗浄剤組成物には使用目的に応じて、慣用されているアニオン界面活性剤、非イオン界面活性剤、両性界面活性剤などの各種界面活性剤、エタノール、尿素、多価アルコール類、トルエンスルホン酸ナトリウムなどの可溶化剤、ＥＤＴＡなどのキレート剤、クエン酸、リンゴ酸などのｐＨ調整剤、香料、着色剤などを用いることができ、またシャンプーなどに使用する場合は、グリコール類、アミノ酸類、動植物エキスなどの保湿剤、アラントイン、グリチルリチン酸塩などの抗炎症剤、殺菌剤、防腐剤などを配合することができる。
実施例
１、
、参考例１，２
　第１表に示される炭素数の脂肪酸とジエタノールアミンから合成した脂肪酸ジエタノールアミド（脂肪酸とジエタノールアミンの反応モル比は、１：１）のそれぞれを以下に示す試験処方で台所用液体洗浄剤を調製し、その起泡力、洗浄力、粘度、低温安定性を測定した。結果は第１表中に示した。なお、各試験方法は以下の方法を採用した。
・起泡力
ロスマイルス法濃度０．２５％，４０℃
・洗浄力
リーナッツ法　ＪＩＳ　Ｋ３３７０
濃度０．０３％，３０℃
・粘度
Ｂ型粘度計２５℃
・低温安定性
−５℃に７日間放置し、判定した。
○…均一透明
△…少し白濁
×…白濁または分離
試験処方　　　　　　　　　　　　　　　　　　　　　　　％
・直鎖アルキルベンゼンスルホン酸ナトリウム　　　　　１６
・脂肪酸ジエタノールアミド　　　　　　　　　　　　　　４
・クエン酸　　　　　　　　　　　　　ｐＨ＝７．０とする量
・水　　　　　　　　　　　　　　　　　　　　　　　　　残
　第１表の結果から、実施例
１の液
参考例３
　下記の処方で台所洗剤を調製した。なお、処方中の脂肪酸ジエタノールアミドは
参考例２
（Ａ）
・α−オレフィンスルホン酸ナトリウム　　　　　　　　１４％
・脂肪酸ジエタノールアミド（１：１型）　　　　　　　　６
・尿素　　　　　　　　　　　　　　　　　　　　　　　　２
・コハク酸　　　　　　　　　　　　　ｐＨ＝６．５とする量
・水　　　　　　　　　　　　　　　　　　　　　　　　　残
（Ｂ）　　　　　　　　　　　　　　　　　　　　　　　　％
・ポリオキシエチレン（３）ラウリル
エーテル硫酸ナトリウム　　　　　　　　　　　　　　　　６
・直鎖アルキルベンゼンスルホン酸ナトリウム　　　　　　６
・脂肪酸ジエタノールアミド（１：１型）　　　　　　　１０
・エチルアルコール　　　　　　　　　　　　　　　　　　２
・リンゴ酸　　　　　　　　　　　　　　　ｐＨ＝７とする量
・水　　　　　　　　　　　　　　　　　　　　　　　　　残
（Ｃ）　　　　　　　　　　　　　　　　　　　　　　　　％
・ポリオキシエチレン（３）ラウリル
エーテル硫酸ナトリウム　　　　　　　　　　　　　　　　６
・直鎖アルキルベンゼンスルホン酸ナトリウム　　　　　　６
・ラウロイル−Ｎ−メチル−β−
アラニンナトリウム（３０％）＊１）　　　　　　　　　１２
・ソジウムココイルイセチオネート　　　　　　　　　　　６
・ラウリルジメチルアミンオキシド　　　　　　　　　　　２
・ラウリン酸アミドプロピルジメチル
アミノ酢酸ベタイン（３０％）＊２）　　　　　　　　　１０
・脂肪酸ジエタノールアミド（１：１型）　　　　　　　　５
・ｐ−トルエンスルホン酸ナトリウム　　　　　　　　　　３
・香料　　　　　　　　　　　　　　　　　　　　　　　　０．１
・色素　　　　　　　　　　　　　　　　　　　　　　　微量
・クエン酸　　　　　　　　　　　　　ｐＨ＝７．５とする量
・ＥＤＴＡ・２Ｎａ　　　　　　　　　　　　　　　　　　０．１
・水　　　　　　　　　　　　　　　　　　　　　　　　　残
（Ｄ）
・α−オレフィンスルホン酸ナトリウム　　　　　　　　１０
・ポリオキシエチレン（５）ラウリルエーテル　　　　　　５
・ポリオキシエチレン（５）ヤシ油脂肪酸
モノエタノールアミド＊３）　　　　　　　　　　　　　　５
・ソジウムアルカンスルホネート　　　　　　　　　　　　５
・脂肪酸ジエタノールアミド（１：１型）　　　　　　　　７
・酒石酸　　　　　　　　　　　　　　ｐＨ＝８．０とする量
・香料　　　　　　　　　　　　　　　　　　　　　　　　０．２
・色素　　　　　　　　　　　　　　　　　　　　　　　微量
・水　　　　　　　　　　　　　　　　　　　　　　　　　残
　
参考例３
（注）
＊１：商品名「アラノンＡＬＥ」、川研ファインケミカル（株）製使用
＊２：商品名「ソフタゾリンＬＰＢ」、川研ファインケミカル（株）製使用
＊３：商品名「アミゼット５Ｃ」、川研ファインケミカル（株）製使用
実施例
２
　下記の処方により各種液体洗浄剤を調製した。
（Ａ）ヘアーシャンプー　　　　　　　　　　　　　　　　％
・ポリオキシエチレン（３）ラウリル
エーテル硫酸トリエタノールアミン　　　　　　　　　　　６
・ラウロイル−Ｎ−メチル−β−
アラニンナトリウム（３０％）　　　　　　　　　　　　　５
・ラウロイルメチルタウリンナトリウム　　　　　　　　　２
・脂肪酸ジエタノールアミド（１：１型）　　　　　　　　４．５
・Ｎ−ヤシ油脂肪酸アシル−Ｌ−グルタミ
ン酸トリエタノールアミン（３０％）＊４）　　　　　　　１．０
・加水分解コラーゲン　　　　　　　　　　　　　　　　　０．５
・ＥＤＴＡ・２Ｎａ　　　　　　　　　　　　　　　　　　０．１
・メチルパラベン　　　　　　　　　　　　　　　　　　　０．１
・クエン酸　　　　　　　　　　　　　ｐＨ＝６．５とする量
・水　　　　　　　　　　　　　　　　　　　　　　　　　残
（Ｂ）ベビーシャンプー　　　　　　　　　　　　　　　　％
・２−アルキル−Ｎ−カルボキシメチル−
Ｎ−ヒドロキシエチルイミダゾリウム
ベタイン（３０％）＊５）　　　　　　　　　　　　　　４０
・ラウロイル−Ｎ−メチル−β−アラ
ニントリエタノールアミン（３０％）　　　　　　　　　１０
・脂肪酸ジエタノールアミド（１：１）　　　　　　　　　３
・グリセリン　　　　　　　　　　　　　　　　　　　　　３
・カルボキシメチルキチン　　　　　　　　　　　　　　　０．３
・メチルパラベン　　　　　　　　　　　　　　　　　　　０．１
・ＥＤＴＡ・２Ｎａ　　　　　　　　　　　　　　　　　　０．１
・クエン酸　　　　　　　　　　　　　ｐＨ＝６．５にする量
・水　　　　　　　　　　　　　　　　　　　　　　　　　残
（Ｃ）ボディーシャンプー　　　　　　　　　　　　　　　％
・ラウロイルサルコシンナトリウム（３０％）＊６）　　２０
・ラウリン酸アミドプロピルジメチル
酢酸ベタイン（３０％）　　　　　　　　　　　　　　　２４
・ラウリンスルホサクシネートジナトリウム　　　　　　　３
・脂肪酸ジエタノールアミド（１：１型）　　　　　　　　２
・混合アミノ酸＊７）　　　　　　　　　　　　　　　　　１
・メチルパラベン　　　　　　　　　　　　　　　　　　　０．１
・プロピルパラベン　　　　　　　　　　　　　　　　　　０．１
・クエン酸　　　　　　　　　　　　　　　　　　　　　　０．６
・香料　　　　　　　　　　　　　　　　　　　　　　　　０．１
・ヒアルロン酸　　　　　　　　　　　　　　　　　　　　０．０１
・アロエエキス　　　　　　　　　　　　　　　　　　　　０．０５
・水　　　　　　　　　　　　　　　　　　　　　　　　　残
　実施例
２
（注）
＊５：商品名「ソフタゾリンＣＨ」、川研ファインケミカル（株）製使用
＊６：商品名「ソイポンＳＬＥ」、川研ファインケミカル（株）製使用
＊７：商品名「プロデュウ１００」、味の素（株）製使用
　発明の効果
　本発明の脂肪酸組成が特定の脂肪酸ジェタノールアミドを用いることにより、増粘性、起泡性、洗浄力および低温安定性に優れた洗浄剤組成物を得ることができる。